【事件の表示】
　特願２０１５−５１９４５１「明るさの制御方法，装置およびプログラム製品」拒絶査定不服審判事件〔平成２６年　１月　３日国際公開、ＷＯ２０１４／００２０４４、平成２７年　９月１０日国内公表、特表２０１５−５２６７５６、請求項の数（１５）〕について、次のとおり審決する。
【結　論】
　原査定を取り消す。
　本願の発明は、特許すべきものとする。
【理　由】
第１　手続の経緯
　本願は、 ２０１３年６月２７日（パリ条約による優先権主張　２０１２年６月２８日、米国）を国際出願日とする出願であって、平成２７年９月２５日付けで拒絶理由が通知され、平成２８年３月２５日付けで手続補正がなされ、平成２８年８月３０日付けで拒絶理由が通知され、平成２８年１２月６日付けで手続補正がなされたが、平成２９年５月３０日付けで、拒絶査定（平成２７年９月２５日付けで通知された拒絶理由の理由２、及び平成２８年８月３０日付けで通知された拒絶理由の理由１（２）を拒絶の理由とする。）がなされ（送達日：平成２９年６月６日）、これに対し、平成２９年１０月６日に拒絶査定不服審判が請求され、同時に手続補正（以下、「審判請求時の補正」という。）なされたものである。
第２　原査定の概要 
（１）平成２７年９月２５日付けで通知された拒絶理由の理由２（以下、「理由２」という。）　
　この出願の下記の請求項に係る発明は、その優先日前に日本国内又は外国において、頒布された下記の刊行物に記載された発明又は電気通信回線を通じて公衆に利用可能となった発明に基いて、その優先日前にその発明の属する技術の分野における通常の知識を有する者が容易に発明をすることができたものであるから、特許法第２９条第２項の規定により特許を受けることができない。
・請求項　１−４，６−９，１１−１４
・引用文献等　２
・請求項　５，１０，１５
・引用文献等　２−４
　　　　　　　　　　　　　＜引用文献等一覧＞
２.米国特許出願公開第２００８／００５５２２８号明細書
３.特開２００４−２３３８４５号公報
４.特開２００５−０４３８９４号公報
（２）平成２８年８月３０日付けで通知された拒絶理由の理由１（２）（以下、「理由１（２）」という。）
　この出願は、特許請求の範囲の記載が下記の点で、特許法第３６条第６項第２号に規定する要件を満たしていない。
　　　　　　　　　　　　　　　　　記
・請求項　１−１５
　請求項１に係る発明において、「時間経過に伴う周囲の照明条件およびユーザによるディスプレイの明るさの調整条件に関して保存されたデータを蓄積するステップ」という発明特定事項があるが、明確でない。
第３　本願発明
　本願の請求項１ないし１５に係る発明（以下、それぞれ、「本願発明１」ないし「本願発明１５」という。）は、審判請求時の補正により補正された特許請求の範囲の請求項１ないし１５に記載された事項により特定されるとおりのものであって、請求項１は、次のとおりのものである。
「【請求項１】
　（ａ）アプリケーションプログラムの使用中に前記アプリケーションプログラムについてユーザが任意に選択したディスプレイの明るさの調整条件と，（ｂ）そのときに存在する周囲の照明条件とを定義するデータをメモリに保存するステップと，
　前記調整条件と前記照明条件とを定義するデータを時間経過に伴って蓄積するステップと，
　前記照明条件に対応する前記調整条件の応答曲線を生成するステップと，
　前記アプリケーションプログラムの再開に応じて，前記応答曲線を参照し，前記再開したときに存在する周囲の照明条件に対応したディスプレイの明るさの調整条件に戻すステップと，を有する
　方法。」
　なお、本願発明２−５は、本願発明１を減縮した発明である。
　本願発明６−１０は、本願発明１−５を「装置」として表現した発明である。
　本願発明１１−１５は、本願発明１−５を「プログラム製品」として表現した発明である。
第４　引用文献、引用発明等
１．引用文献２について
　原査定の拒絶の理由（理由２）に引用された引用文献２には、図面とともに、次の事項が記載されている（下線は、当審で付与した。）。
ア　「[0001] The present invention relates generally to providing content to display devices and, in particular, to 
techniques for adjusting brightness of display images based on the types of content to be displayed.
表示されるべきコンテンツのタイプに基づいて表示画像の明るさを調整する技術
イ　「[0017] As illustrated, 
the co-processor  204  may have associated therewith one or more memory devices  206  that may be used
for the storage of data for operation
the host processor  202
have
memory device  208 
capable of storing
operational data.
コプロセッサ２０４は、
動作のためのデータの格納のため
のメモリ・デバイス２０６と、結合し
ホスト・プロセッサ２０２は、
実行データを格納する
メモリ・デバイス２０８
を有し
ウ　「[0019] 
A display  212  is provided, preferably in communication with the co-processor  204 , for display of display images rendered by either the host processor  202  or co-processor  204 .
ディスプレイ２１２は、好ましくはコプロセッサ２０４と通信し、ホスト・プロセッサ２０２またはコプロセッサ２０４によってレンダーされた表示画像の表示のために提供されます。
エ　「[0020] Finally, 
a light sensor  211  may be provided in communication with the host processor  202  and/or co-processor  204  and used to detect ambient light in the area of the display  212 , i.e., a viewing environment of the display, and provide ambient light data to one or both of the processors  202 ,  204 .
knowledge of the ambient light (via the ambient light data) can be used to determine optimal display intensity 
ホスト・プロセッサ２０２及び／又はコプロセッサ２０４と通信する光センサ２１１が提供され、ディスプレイ２１２の領域における周囲光、つまり、ディスプレイの視環境を検出するために用いられ、プロセッサ２０２及び２０４の一つ若しくは両方に周囲光データを提供するかも知れません。
　公知のように、
周囲光の知識（周囲光のデータを介して）は、
最適な表示強度
を決定するために用いることができます
オ　「[0021] Referring now to  FIG. 3 , processing in accordance with the present invention is further illustrated. ・・・（省略）・・・
Referring now to block  302 , a display image to be provided to a display is updated, typically by a graphics processor
each time a new display image is to be generated, it must first be determined
by the graphics processor
what content is to be displayed in the updated display image. This is performed at block  304 .
ブロック３０２
ディスプレイに提供される表示画像は、典型的にはグラフィック・プロセッサ
によって更新され、
新しい表示画像が生成されるごとに、更新された表示画像の中でどのようなコンテンツが表示されることになるかを
グラフィック・プロセッサが
最初に決定しなければなりません。これは、ブロック３０４で実行されます。
カ　「[0022] 
At block  306 , a plurality of intensity settings based on corresponding plurality of content types are obtained.
ブロック３０６で、対応する多数のコンテンツ・タイプに基づいて、多数の強度設定が取得され
キ　「[0024] The plurality of content types described above with reference to block  306  are identifications of different types of content that may contribute to display images to be rendered on the display. As used herein, 
the term content includes any data or information that may be rendered on a display. For example, video images may comprise one type of content, three dimensional (3D) graphics may comprise another type of content, and document files (such as word processing documents, spreadsheet documents, etc.) may comprise yet another content type.
an intensity setting for a display describes the level of light output by the light source of the display, which in turn effects the perceived brightness or luminance of the display.
the intensity settings associated with each content type may be used to control operation of the display's light source to best match the brightness of the display to a particular content type.
コンテンツという用語は、ディスプレイ上にレンダーされる、いかなるデータまたは情報も含みます。例えば、ビデオ画像は、コンテンツの１つのタイプかも知れず、３次元（３Ｄ）グラフィックスは、別のコンテンツのタイプを構成するかも知れず、そして（ワードプロセッサ文書、スプレッド・シート、他、のような）文書ファイルは、更に別のコンテンツのタイプを構成するかも知れません。
ディスプレイに対する強度設定は、ディスプレイの知覚された明るさや輝度に効果を与えることになる、ディスプレイ光源による光出力のレベルを記述し
コンテンツの各々と結び付けられた強度設定は、特定のコンテンツ・タイプに対するディスプレイの明るさと最も良く整合するように、ディスプレイの光源を制御するのに用いられるかも知れません。
ク　「[0025] Regardless of the manner in which the intensity settings are obtained, processing continues 
at block  308  where the intensity of the light source of the display is set to an adjusted intensity based on the selected intensity setting
the adjustment accomplished at block  308  may take into account the ambient light within the viewing environment
ブロック３０８に継続し
ディスプレイの光源強度は、
選択された強度設定に基づいて調整される強度にセットされ
ブロック３０８で成し遂げられる調整は、
視環境に含まれる周囲光を考慮して成し遂げられるかも知れません。
ケ　「[0029] Referring once again to  FIG. 3 , 
after the display image is provided to the display
processing continues at block  312  where it is determined whether the display image needs to be updated or whether the intensity settings and corresponding content types have been updated.
if the display image does require updating, and/or if the intensity settings and corresponding content types have been updated (for example, through the use of a suitable control panel or other user input mechanism), processing continues at block  302  as described above.
ディスプレイに表示画像が提供された後で
処理はブロック３１２へと続き、そこでは、表示画像が更新される必要があるか否か、または、強度設定及び対応するコンテンツ・タイプが更新されたか否かが決定されます。
　この場合（そして、強度設定及び対応するコンテンツ・タイプが更新されていないと仮定すると）、処理は、前述のように、ブロック３１０に続きます。しかしながら、
もし、表示画像の更新が必要で、及び／又は、仮に、強度設定及び対応するコンテンツ・タイプが更新されている（例えば、適する制御パネルまたは、他のユーザ入力機構を通して）なら、上述のように、処理はブロック３０２に続きます
  
　したがって、引用文献２には、次の発明（以下、「引用発明」という。）が記載されているものと認められる。
「表示されるべきコンテンツのタイプに基づいて表示画像の明るさを調整する技術（段落[0001]より。以下、同様。）であって、
　ディスプレイ２１２は、好ましくはコプロセッサ２０４と通信し、ホスト・プロセッサ２０２またはコプロセッサ２０４によってレンダーされた表示画像の表示のために提供され（[0019]）、
　ホスト・プロセッサ２０２は、実行データを格納するメモリ・デバイス２０８を有し、コプロセッサ２０４は、動作のためのデータの格納のためのメモリ・デバイス２０６と、結合し（[0017]）、
　ホスト・プロセッサ２０２及び／又はコプロセッサ２０４と通信する光センサ２１１が提供され、ディスプレイ２１２の領域における周囲光、つまり、ディスプレイの視環境を検出するために用いられ、プロセッサ２０２及び２０４の一つ若しくは両方に周囲光データを提供し、周囲光の知識（周囲光のデータを介して）は、最適な表示強度を決定するために用いることができ（[0020]）、
　ブロック３０２で、ディスプレイに提供される表示画像は、典型的にはグラフィック・プロセッサによって更新され（[0021] ）、
　ブロック３０４で、グラフィック・プロセッサが、更新された表示画像の中でどのようなコンテンツが表示されることになるかを最初に決定し（[0021] ）、
　ブロック３０６で、対応する多数のコンテンツ・タイプに基づいて、多数の強度設定が取得され（[0022]）、ディスプレイに対する強度設定は、ディスプレイの知覚された明るさや輝度に効果を与えることになる、ディスプレイ光源による光出力のレベルを記述し、コンテンツの各々と結び付けられた強度設定は、特定のコンテンツ・タイプに対するディスプレイの明るさと最も良く整合するように、ディスプレイの光源を制御するのに用いられ（[0024]）、
　継続するブロック３０８では、ディスプレイの光源強度は、選択された強度設定に基づいて調整される強度にセットされ、ブロック３０８で成し遂げられる調整は、上述のとおり、視環境に含まれる周囲光を考慮して成し遂げられ（[0025]）、
　ディスプレイに表示画像が提供された後で、処理はブロック３１２へと続き、そこでは、表示画像が更新される必要があるか否か、または、強度設定及び対応するコンテンツ・タイプが更新されたか否かが決定され、もし、表示画像の更新が必要で、及び／又は、仮に、強度設定及び対応するコンテンツ・タイプが更新されている（例えば、適する制御パネルまたは、他のユーザ入力機構を通して）なら、上述のように、処理はブロック３０２に続く（[0029]）、
　技術。」
２．引用文献３について
　原査定の拒絶の理由（理由２）に引用された引用文献３には、図面とともに、次の事項が記載されている（下線は、当審で付与した。）。
「【０００１】
【発明の属する技術分野】
本発明は、表示輝度を制御可能な表示デバイスを有する情報処理装置および
表示輝度制御方法
「【００４７】
このように、
通常の使用時に於いては、表示デバイス１２１の表示輝度が周囲の明るさに応じた最適な表示輝度に調整される。
【００４８】
この自動輝度調整の状態にあるとき、あるアプリケーションプログラムが起動すると（
輝度管理テーブル（Ｂ−ＴＢＬ）１３２に設定されたアプリケーションプログラムであれば
、輝度管理テーブル（Ｂ−ＴＢＬ）１３２の設定に従う輝度設定の処理を行う
【００４９】
この輝度設定処理では、輝度管理テーブル（Ｂ−ＴＢＬ）１３２を参照して上記起動したアプリケーションに設定された輝度レベルを取得し（図９ステップＳ５１）、その輝度レベルの値をもつ輝度設定データ（Ｃ）を輝度制御部１２ａに設定する（図９ステップＳ５２）。
【００５０】
これにより、表示デバイス１２１には起動したアプリケーションプログラムに最適な表示輝度で当該アプリケーションプログラムの画像表示が行われる。
【００５１】
上記アプリケーションプログラムが終了すると（図９ステップＳ５３  ＹＥＳ）、輝度自動調整フラグ（Ｆａ）が“１”に復帰して（図９ステップＳ５４）、再び上述した自動輝度調整の処理が有効に機能する。」
　したがって、引用文献３には、次の技術的事項が記載されているものと認められる。
「通常の使用時に於いては、表示デバイス１２１の表示輝度が周囲の明るさに応じた最適な表示輝度に調整される（段落【００４７】より。以下同様。）が、この自動輝度調整の状態にあるとき、あるアプリケーションプログラムが起動すると、輝度管理テーブル（Ｂ−ＴＢＬ）１３２に設定されたアプリケーションプログラムであれば、輝度管理テーブル（Ｂ−ＴＢＬ）１３２の設定に従う輝度設定の処理を行ない（【００４８】）、これにより、表示デバイス１２１には起動したアプリケーションプログラムに最適な表示輝度で当該アプリケーションプログラムの画像表示が行われる（【００５０】）、表示輝度制御方法（【０００１】）。」
３．引用文献４について
　原査定の拒絶の理由（理由２）に引用された引用文献４には、図面とともに、次の事項が記載されている（下線は、当審で付与した。）。
「【００５８】
  図８は、本発明による
ディスプレイ輝度レベル調節方法
【００５９】
  この時、１つ以上のアプリケーションプログラムをそれぞれ設定された輝度レベルで動作するための自動調整モードが、図４のユーザインターフェースプログラムによって設定され、かつフルウインドー項目がイエスに設定された場合（Ｓ８０３）、フィルタドライバー２３ａを介して
現在実行されている
アプリケーションプログラムに対応する輝度レベルがメモリに存在する
  そして、前記
ディスプレイは、それに対応した輝度レベルを出力する
　よって、引用文献４には、次の技術的事項が記載されているものと認められる。
「メモリに現在実行されているアプリケーションプログラムに対応する輝度レベルが存在する場合には、ディスプレイは、それに対応した輝度レベルを出力する（段落【００５９】より。）、ディスプレイ輝度レベル調節方法（段落【００５８】より。）。」
第５　対比・判断
１．本願発明１について
（１）対比
　本願発明１と引用発明とを対比する。
ア　引用文献１の段落[0024]には、「コンテンツという用語は、ディスプレイ上にレンダーされる、いかなるデータまたは情報も含みます。例えば、ビデオ画像は、コンテンツの１つのタイプかも知れず、３次元（３Ｄ）グラフィックスは、別のコンテンツのタイプを構成するかも知れず、そして（ワードプロセッサ文書、スプレッド・シート、他、のような）文書ファイルは、更に別のコンテンツのタイプを構成するかも知れません。」と記載されている。
　そして、ビデオ、３次元（３Ｄ）グラフィックス、ワードプロセッサ文書、スプレッド・シート等は、これらを扱う個々のアプリケーション・プログラムに対応して分類されるものであるから、引用発明における「コンテンツ・タイプ」は、該コンテンツの画面表示を行うアプリケーション・プログラムの分類に対応するものであるといえ、本願発明１でいう、「アプリケーション」に相当するものといえる。
イ　引用発明では、「ブロック３０６で、対応する多数のコンテンツ・タイプに基づいて、多数の強度設定が取得され」ている。そして、「取得」のためには、それ以前に「コンテンツの各々と結び付けられた強度設定」が記憶されている必要があることは明らかである。また、引用発明では、データを「メモリ・デバイス２０８」または「メモリ・デバイス２０６」に格納している。
　よって、上記「ア」を踏まえると、引用発明において「ディスプレイに表示画像が提供された後で」、「（例えば、適する制御パネルまたは、他のユーザ入力機構を通して）」「強度設定及び対応するコンテンツ・タイプが更新され」ることは、これによって「コンテンツの各々と結び付けられた強度設定」が「メモリ・デバイス２０８」または「メモリ・デバイス２０６」に格納されることになることは明らかであるから、本願発明１における「（ａ）アプリケーションプログラムの使用中に前記アプリケーションプログラムについてユーザが任意に選択したディスプレイの明るさの調整条件」「を定義するデータをメモリに保存するステップ」に相当するといえる。
ウ　引用発明における「ディスプレイ２１１２の領域における周囲光、つまり、ディスプレイの視環境」が、本願発明１における「周囲の照明条件」に相当する。
　よって、引用発明において、「光センサ２１１」が「ディスプレイ２１１２の領域における周囲光、つまり、ディスプレイの視環境を検出するために用いられ、プロセッサ２０２及び２０４の一つ若しくは両方に周囲光データを提供」することと、本願発明１における「そのときに存在する周囲の照明条件とを定義するデータをメモリに保存するステップ」とは、「そのときに存在する周囲の照明条件を定義するデータを得るステップ」の点で共通する。
エ　上記「イ」で述べたとおり、引用発明では、「コンテンツの各々と結び付けられた強度設定」がデータとして記憶されていることは明らかである。
　よって、引用発明において、「コンテンツの各々と結び付けられた強度設定」が記憶され、「ディスプレイの光源強度は、選択された強度設定に基づいて調整される」ことと、本願発明１における「前記調整条件と前記照明条件とを定義するデータを時間経過に伴って蓄積するステップと」とは、「前記調整条件を定義するデータを記憶するステップ」の点で共通するといえる。
オ　引用発明において、「強度設定及び対応するコンテンツ・タイプが更新されている（例えば、適する制御パネルまたは、他のユーザ入力機構を通して）」場合を考えると、ステップ３０２から開始される処理において、再開される「コンテンツ・タイプ」「と結び付けられた」（ユーザ入力機構を通して更新された）「強度設定が取得され」、「ディスプレイの光源強度は、選択された強度設定に基づいて調整される強度にセットされ」、「調整は」、「視環境に含まれる周囲光を考慮して成し遂げられ」ることと、本願発明１における「前記アプリケーションプログラムの再開に応じて，前記応答曲線を参照し，前記再開したときに存在する周囲の照明条件に対応したディスプレイの明るさの調整条件に戻すステップ」とは、「前記アプリケーションプログラムの再開に応じて，前記再開したときに存在する周囲の照明条件条件に基づいて、ディスプレイの明るさを調整する、ステップ」の点で共通するといえる。
　すると、本願発明１と引用発明との一致点、相違点は次のとおりである。
（一致点）
「（ａ）アプリケーションプログラムの使用中に前記アプリケーションプログラムについてユーザが任意に選択したディスプレイの明るさの調整条件を定義するデータをメモリに保存するステップと，
（ｂ）周囲の照明条件とを定義するデータを得るステップと，
　前記調整条件を定義するデータを記憶するステップと，
　前記アプリケーションプログラムの再開に応じて，前記再開したときに存在する周囲の照明条件に基づいて、ディスプレイの明るさを調整するステップと，を有する
　方法。」
（相違点）
　本願発明１では、「周囲の照明条件」に関して、次のアないしウの一連のステップを有している。
ア　アプリケーションプログラムの使用中に前記アプリケーションプログラムについてユーザが任意に選択したディスプレイの明るさの調整条件とともに、「（ｂ）そのときに存在する周囲の照明条件とを定義するデータをメモリに保存するステップ」
イ　前記調整条件と「前記照明条件」とを定義するデータを「時間経過に伴って蓄積」し、「前記照明条件に対応する前記調整条件の応答曲線を生成するステップ」
ウ　「前記アプリケーションプログラムの再開に応じて，前記応答曲線を参照して，前記再開したときに存在する周囲の照明条件に対応したディスプレイの明るさの調整条件に戻すステップ」
　これに対し、引用発明では、「ディスプレイ２１１２の領域における周囲光、つまり、ディスプレイの視環境」（本願発明１における「周囲の照明条件」に相当する。）が、「周囲光データ」として提供されているものの、
ア’　該「周囲光データ」を「コンテンツの各々と結び付けられた強度設定」とともに、「メモリ・デバイス２０８」または「メモリ・デバイス２０６」に格納することは示されておらず、
イ’　「周囲光データ」を時間経過に伴って蓄積し、「周囲光データ」に対応する「選択された強度設定」の応答曲線を生成することも示されておらず、
ウ’　コンテンツの表示の再開に応じて、前記応答曲線を参照して、前記再開したときに存在する、「ディスプレイ２１１２の領域における周囲光、つまり、ディスプレイの視環境」に対応した、「ディスプレイの光源強度」の「選択された強度設定」に戻すことも示されていない点。
（２）相違点についての判断
　そこで上記相違点について検討すると、上記相違点に係る本願発明１の、「（ｂ）そのときに存在する周囲の照明条件とを定義するデータをメモリに保存」し、「前記照明条件」を「時間経過に伴って蓄積」し、「前記照明条件に対応する前記調整条件の応答曲線を生成する」構成、及び「前記アプリケーションプログラムの再開に応じて，前記応答曲線を参照」する構成は、上記引用文献２−４に記載されておらず、本願優先日前において周知技術であるともいえない。
　したがって、本願発明１は、当業者であっても、引用発明及び引用文献３、４に記載された技術的事項に基づいて容易に発明できたものであるとはいえない。
２．本願発明２−５について
　本願発明２−５は、本願発明１を減縮した発明であるから、本願発明２−５も、本願発明１の上記「（ｂ）そのときに存在する周囲の照明条件とを定義するデータをメモリに保存」し、「前記照明条件」を「時間経過に伴って蓄積」し、「前記照明条件に対応する前記調整条件の応答曲線を生成する」構成、及び「前記アプリケーションプログラムの再開に応じて，前記応答曲線を参照」する構成と同一の構成を備えるものである。
　よって、本願発明２−５は、本願発明１と同じ理由により、当業者であっても、引用発明及び引用文献３、４に記載された技術的事項に基づいて容易に発明できたものであるとはいえない。
３．本願発明６−１０について
　本願発明６−１０は、本願発明１−５を「装置」として表現した発明であるから、本願発明１の上記「（ｂ）そのときに存在する周囲の照明条件とを定義するデータをメモリに保存」し、「前記照明条件」を「時間経過に伴って蓄積」し、「前記照明条件に対応する前記調整条件の応答曲線を生成する」構成、及び「前記アプリケーションプログラムの再開に応じて，前記応答曲線を参照」する構成に対応する構成を備えるものである。
　よって、本願発明６−１０は、本願発明１と同様の理由により、当業者であっても、引用発明及び引用文献３、４に記載された技術的事項に基づいて容易に発明できたものであるとはいえない。
４．本願発明１１−１５について
　本願発明１１−１５は、本願発明１−５を「プログラム製品」として表現した発明であるから、本願発明１の上記「（ｂ）そのときに存在する周囲の照明条件とを定義するデータをメモリに保存」し、「前記照明条件」を「時間経過に伴って蓄積」し、「前記照明条件に対応する前記調整条件の応答曲線を生成する」構成、及び「前記アプリケーションプログラムの再開に応じて，前記応答曲線を参照」する構成に対応する構成を備えるものである。
　よって、本願発明１１−１５は、本願発明１と同様の理由により、当業者であっても、引用発明及び引用文献３、４に記載された技術的事項に基づいて容易に発明できたものであるとはいえない。
第６　原査定について
１．理由２（特許法第２９条第２項）について
　本願発明１−１５が、当業者であっても、引用発明及び引用文献３、４に記載された技術的事項に基づいて容易に発明できたものであるとはいえないことは、上記「第５」で述べたとおりである。
２．理由１（２）（特許法第３６条第６項第２号）について
　審判請求時の補正により、審判請求時の補正前の請求項１における「前記照明条件の変化に対応する前記調整条件の変化を表す応答曲線を生成するステップ」は、「前記照明条件に対応する前記調整条件の応答曲線を生成するステップ」と補正された結果、理由１（２）は解消した。
３．まとめ
　よって、原査定の理由は維持できない。
第７　むすび
　以上のとおり、原査定の理由によっては、本願を拒絶することはできない。
　また、他に、本願を拒絶すべき理由を発見しない。
　よって、結論のとおり審決する。